【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
感光体と、前記感光体を帯電する帯電手段と、帯電された前記感光体に潜像を形成する潜像形成手段と、前記潜像を現像剤により現像する現像手段と、現像された現像剤像を転写材に転写する転写手段と、前記感光体上の残留物を除去するクリーニング手段と、前記感光体の回転方向上流側において前記クリーニング手段を補助する摺擦部材と、前記感光体の表面温度を制御する温度制御手段と、
を有する画像形成装置であって、
前記感光体は、ＨＵ（ユニバーサル硬さ値）が１５０Ｎ／ｍｍ２以上２２０Ｎ／ｍｍ２以下であり、かつ、弾性変形率が４３％以上６５％以下であり、
前記温度制御手段は、前記感光体の表面温度を、少なくとも画像形成開始までに３５〜５０℃の所定の温度に制御し、
前記摺擦部材は、ＡｓｋｅｒＣ硬度で５〜３０°の弾性ローラで、前記感光体に当接させて、−１５０〜＋１５０％の相対速度で駆動され、
前記感光体の面速度をＳ［ｍｍ／ｓｅｃ］、前記摺擦部材と前記感光体表面の当接部における速度差をΔＳ［ｍｍ／ｓｅｃ］、前記感光体の表面温度をＴｄ［Ｋ］、前記摺擦部材が前記感光体に当接する時の該感光体の長手方向単位長さあたりの当接圧をＰｓ［ｇｆ／ｃｍ］、とした時に、下式で表される範囲で画像形成を行なうことを特徴とする画像形成装置。
１Ｅ０≦ΔＳ×Ｐｓ×Ｔｄ／Ｓ２≦５Ｅ２
【請求項２】
感光体と、前記感光体を帯電する帯電手段と、帯電された前記感光体に潜像を形成する潜像形成手段と、前記潜像を現像剤により現像する現像手段と、現像された現像剤像を転写材に転写する転写手段と、前記感光体上の残留物を除去するクリーニング手段と、前記感光体の回転方向上流側において前記クリーニング手段を補助する摺擦部材と、前記感光体の表面温度を制御する温度制御手段と、
を有する画像形成装置であって、
前記感光体は、ＨＵ（ユニバーサル硬さ値）が１５０Ｎ／ｍｍ２以上２２０Ｎ／ｍｍ２以下であり、かつ、弾性変形率が４３％以上６５％以下であり、
前記温度制御手段は、前記感光体の表面温度を、少なくとも画像形成開始までに３５〜５０℃の所定の温度に制御し、
前記摺擦部材は、０．５６〜３．３３ｔｅｘ（５Ｄ〜３０Ｄ）のファーブラシであり、前記感光体に当接させて、−１５０〜＋１５０％の相対速度で駆動され、
前記感光体の面速度をＳ［ｍｍ／ｓｅｃ］、前記摺擦部材と前記感光体表面の当接部における速度差をΔＳ［ｍｍ／ｓｅｃ］、前記ファーブラシのファーの太さをＤｆ［ｔｅｘ］、前記感光体の表面温度をＴｄ［Ｋ］、とした時に、下式で表される範囲で画像形成を行なうことを特徴とする画像形成装置。
１Ｅ−１≦ΔＳ×Ｄｆ２×Ｔｄ／Ｓ２≦１Ｅ２
【請求項３】
前記温度制御手段は、前記感光体の表面温度を、該感光体を使用する装置がおかれた環境の温度よりも、少なくとも３［ｄｅｇ］以上高温となるように制御することを特徴とする請求項１又は２のいずれかに記載の画像形成装置。
【請求項４】
前記感光体は、導電性支持体上に感光層及び表面層を有し、
該表面層は、少なくとも硬化性樹脂及び電荷輸送性化合物を含有し、
前記電荷輸送性化合物は、少なくとも熱、光、放射線のいずれかにより重合、硬化されたものであることを特徴とする請求項１乃至３のいずれかに記載の画像形成装置。
【請求項５】
前記電荷輸送性化合物は、同一分子内に１つ以上の連鎖重合性官能基を有するものであることを特徴とする請求項１乃至４のいずれかに記載の画像形成装置。
【請求項６】
前記感光体の面速度Ｓ［ｍｍ／ｓｅｃ］が１００〜３５０［ｍｍ／ｓｅｃ］であることを特徴とする請求項１乃至５のいずれかに記載の画像形成装置。
【請求項７】
前記摺擦部材が前記感光体に対して非平行に設置されていることを特徴とする請求項１乃至６のいずれかに記載の画像形成装置。
【請求項８】
前記表面層の厚さが、２μｍ〜１０μｍであることを特徴とする請求項１乃至７のいずれかに記載の画像形成装置。
【請求項９】
前記クリーニング手段をレシプロ及び／又は振動させる手段を有することを特徴とする請求項１乃至８のいずれかに記載の画像形成装置。
【請求項１０】
前記現像剤に含まれるトナー粒子の平均粒径が３μｍ〜９μｍであることを特徴とする請求項１乃至９のいずれかに記載の画像形成装置。
【請求項１１】
前記現像剤に含まれるトナー粒子のＤＳＣ測定によるガラス転移点Ｔｇが４０〜９０℃であることを特徴とする請求項１乃至１０のいずれかに記載の画像形成装置。
【手続補正２】
【補正対象書類名】明細書
【補正対象項目名】００１９
【補正方法】変更
【補正の内容】
【００１９】
上記目的を達成するために本発明に係る画像形成装置にあっては、感光体と、前記感光体を帯電する帯電手段と、帯電された前記感光体に潜像を形成する潜像形成手段と、前記潜像を現像剤により現像する現像手段と、現像された現像剤像を転写材に転写する転写手段と、前記感光体上の残留物を除去するクリーニング手段と、前記感光体の回転方向上流側において前記クリーニング手段を補助する摺擦部材と、前記感光体の表面温度を制御する温度制御手段と、を有する画像形成装置であって、
前記感光体は、ＨＵ（ユニバーサル硬さ値）が１５０Ｎ／ｍｍ２以上２２０Ｎ／ｍｍ２以下であり、かつ、弾性変形率が４３％以上６５％以下であり、
前記温度制御手段は、前記感光体の表面温度を、少なくとも画像形成開始までに３５〜５０℃の所定の温度に制御し、前記摺擦部材は、ＡｓｋｅｒＣ硬度で５〜３０°の弾性ローラで、前記感光体に当接させて、−１５０〜＋１５０％の相対速度で駆動され、前記感光体の面速度をＳ［ｍｍ／ｓｅｃ］、前記摺擦部材と前記感光体表面の当接部における速度差をΔＳ［ｍｍ／ｓｅｃ］、前記感光体の表面温度をＴｄ［Ｋ］、前記摺擦部材が前記感光体に当接する時の該感光体の長手方向単位長さあたりの当接圧をＰｓ［ｇｆ／ｃｍ］、とした時に、１Ｅ０≦ΔＳ×Ｐｓ×Ｔｄ／Ｓ２≦５Ｅ２で表される範囲で画像形成を行なうことを特徴とする。
【手続補正３】
【補正対象書類名】明細書
【補正対象項目名】００２０
【補正方法】変更
【補正の内容】
【００２０】
あるいは、本発明に係る画像形成装置にあっては、感光体と、前記感光体を帯電する帯電手段と、帯電された前記感光体に潜像を形成する潜像形成手段と、前記潜像を現像剤により現像する現像手段と、現像された現像剤像を転写材に転写する転写手段と、前記感光体上の残留物を除去するクリーニング手段と、前記感光体の回転方向上流側において前記クリーニング手段を補助する摺擦部材と、前記感光体の表面温度を制御する温度制御手段と、を有する画像形成装置であって、  前記感光体は、ＨＵ（ユニバーサル硬さ値）が１５０Ｎ／ｍｍ２以上２２０Ｎ／ｍｍ２以下であり、かつ、弾性変形率が４３％以上６５％以下であり、前記温度制御手段は、前記感光体の表面温度を、少なくとも画像形成開始までに３５〜５０℃の所定の温度に制御し、前記摺擦部材は、０．５６〜３．３３ｔｅｘ（５Ｄ〜３０Ｄ）のファーブラシであり、前記感光体に当接させて、−１５０〜＋１５０％の相対速度で駆動され、前記感光体の面速度をＳ［ｍｍ／ｓｅｃ］、前記摺擦部材と前記感光体表面の当接部における速度差をΔＳ［ｍｍ／ｓｅｃ］、前記ファーブラシのファーの太さをＤｆ［ｔｅｘ］、前記感光体の表面温度をＴｄ［Ｋ］、とした時に、１Ｅ−１≦ΔＳ×Ｄｆ２×Ｔｄ／Ｓ２≦１Ｅ２で表される範囲で画像形成を行なうことを特徴とする。